(57)【要約】  【課題】同報宛先として任意の宛先を指定できるとともに、指定した宛先を容易に削除でき、同報宛先指定の操作性を向上することができる通信端末装置を提供する。  【解決手段】宛先指定画面で宛先を指定する（ステップ１０４）と、宛先の詳細情報を表示する（ステップ１０５）とともに、その電話番号を宛先リストに追加する（ステップ１０６）。そして、同報ボタンがオンされると、同報宛先リストを表示し（ステップ１１０）、この同報宛先リストにより同報宛先の確認することができ、削除ボタンがオンされると、該当する宛先が宛先リストから削除されるとともに、その宛先が削除された同報宛先リストを表示する（ステップ１１２）。この状態で、スタートボタンを押すと、宛先リストに挙がっている宛先に順次ファクシミリの送信が行われる（ステップ１１４）。  【選択図】図３
2005101796.tif 000002
【特許請求の範囲】
【請求項１】
タッチパネル上に表示された宛先指定画面のワンタッチボタンを押下することにより宛先指定を行う通信端末装置において、ワンタッチボタンにより指定された宛先または直接入力された宛先を記憶する宛先記憶手段と、同報送信を指示する同報送信指示手段と、制御手段とを備え、上記同報送信指示手段が操作されたとき、上記制御手段が宛先記憶手段に記憶された宛先の一覧リストよりなる同報宛先確認画面を表示することを特徴とする通信端末装置。
【請求項２】
請求項１に記載の通信端末装置において、ワンタッチダイヤルの宛先名、宛先電話番号等のワンタッチダイヤルデータをグループ毎に記憶する記憶手段を備え、上記宛先指定画面上に各グループを別シートとして切替え表示するとともに、各シートにグループ名を示すタグが付加されていることを特徴とする通信端末装置。
【請求項３】
請求項１または請求項２に記載された通信端末装置において、上記同報宛先確認画面に削除ボタンが表示されていることを特徴とする通信端末装置。
【請求項４】
請求項１〜請求項３のいずれかに記載された通信端末装置において、上記宛先指定画面の各ワンタッチボタン内に宛先情報が表示されるとともに、いずれかのワンタッチボタンが押下されると、上記制御手段が上記タッチパネル表示画面に宛先詳細情報を表示することを特徴とする通信端末装置。
【発明の詳細な説明】
【技術分野】
【０００１】
本発明は、通信端末装置に関し、特にタッチパネル上のワンタッチ登録ボタンを利用して宛先指定を行う通信端末装置に関する。
【背景技術】
【０００２】
複写機能、ファクシミリ機能、プリント機能、スキャナ機能等を有する最近のデジタル複合機やファクシミリ装置等の通信端末装置は、宛先を指定するためのテンキー、スタートキー等の各種キーを備えるとともに、指定した宛先を表示したり、装置の動作状態や種々の機能の操作画面を表示するためのＬＣＤ表示器等の表示装置を備え、ユーザは、テンキーにより宛先を入力し、それを表示装置で確認してファクシミリ送信を行っている。
【０００３】
また、頻繁に送信が行われる宛先の場合には、このような宛先をワンタッチキーに割り当てたり、大型のＬＣＤ表示器を備えたものでは、ＬＣＤ表示部にワンタッチボタンを表示し、これらのワンタッチダイヤルキーあるいはワンタッチダイヤルボタンを選択することにより所望の宛先にファクシミリ送信を行うことが可能になっている。
【０００４】
さらに、同一文章を多数の宛先にファクシミリ送信することもあるので、このような同報送信のための宛先を予めグループとして登録しておき、送信時にグループの番号とその構成宛先名を表示するグループ宛先画面を表示し、このグループ宛先画面で所望のグループを指定することによりグループを構成する各宛先に同報送信できるようにしたものもある（例えば、特許文献１参照）。
【特許文献１】特開２００２−２１８１２２号公報
【発明の開示】
【発明が解決しようとする課題】
【０００５】
上記のように、従来の通信端末装置では、同報送信を行う場合には、予め登録されているグループ毎にしか同報送信を行うことができず、グループ内の一部の宛先、あるいは登録されている宛先のいくつかを指定して同報送信を行うことができず、このような同報送信を行うためには、改めてグループを作成し直さなければならないので、操作が煩雑であるという問題があった。
また、グループ内の一部の宛先を削除して同報送信したい場合にも、グループに登録されている宛先を修正しなければならず、同報送信の宛先が頻繁に変わる場合には、何度もグループを構成する各宛先を修正しなければならないという問題もあった。
【０００６】
本発明は、上記の問題に鑑みてなされたもので、同報宛先として任意の宛先を指定できるとともに、指定した宛先を容易に削除でき、同報宛先指定の操作性を向上することができる通信端末装置を提供することを目的とする。
【課題を解決するための手段】
【０００７】
上述の目的を達成するため、請求項１に係る発明は、タッチパネル上に表示された宛先指定画面のワンタッチボタンを押下することにより宛先指定を行う通信端末装置において、ワンタッチボタンにより指定された宛先または直接入力された宛先を記憶する宛先記憶手段と、同報送信を指示する同報送信指示手段と、制御手段とを備え、上記同報送信指示手段が操作されたとき、上記制御手段が宛先記憶手段に記憶された宛先の一覧リストよりなる同報宛先確認画面を表示することを特徴とする。
【０００８】
また、請求項２に係る発明は、請求項１に記載の通信端末装置において、ワンタッチダイヤルの宛先名、宛先電話番号等のワンタッチダイヤルデータをグループ毎に記憶する記憶手段を備え、上記宛先指定画面上に各グループを別シートとして切替え表示するとともに、各シートにグループ名を示すタグが付加されていることを特徴とする。
【０００９】
さらに、請求項３に係る発明は、請求項１または請求項２に記載された通信端末装置において、上記同報宛先確認画面に削除ボタンが表示されていることを特徴とする。
【００１０】
さらに、請求項４に係る発明は、請求項１〜請求項３のいずれかに記載された通信端末装置において、上記宛先指定画面の各ワンタッチボタン内に宛先情報が表示されるとともに、いずれかのワンタッチボタンが押下されると、上記制御手段が上記タッチパネル表示画面に宛先詳細情報を表示することを特徴とする。
【発明の効果】
【００１１】
請求項１に係る発明の通信端末装置によれば、タッチパネル上に表示された宛先指定画面のワンタッチボタンの押下または宛先番号の直接入力により複数の宛先指定を行った後、同報送信指示手段を操作すれば、指定した宛先の一覧リストよりなる同報宛先確認画面が表示されるので、必要に応じて異なる宛先の同報送信宛先を簡単に作成するとともに、作成された同報送信宛先を容易に確認することができる。
【００１２】
また、請求項２に係る発明の通信端末装置によれば、宛先指定画面上で、ワンタッチダイヤルデータをグループ毎に別シートとして切替え表示でき、各シートにグループ名を示すタグが付加されているので、同報送信する宛先が含まれるグループを簡単に表示させることができ、同報宛先指定の操作性を向上させることができる。
【００１３】
さらに、請求項３に係る発明の通信端末装置によれば、同報宛先確認画面に削除ボタンが表示されているので、同報宛先として複数の宛先を選択した後、宛先一覧リストを確認し、不要な宛先が含まれている場合には、簡単にその宛先を削除することができる。
【００１４】
さらに、請求項４に係る発明の通信端末装置によれば、宛先指定画面では、各ワンタッチボタン内に宛先情報が表示されるとともに、いずれかのワンタッチボタンが押下すると、タッチパネル表示画面のワンタッチボタンの外部領域に宛先詳細情報が表示されるので、宛先を選択する際に容易に詳細情報を確認することができる。
【実施例】
【００１５】
以下、本発明の通信端末装置を一例としてデジタル複合機に適用した場合の実施例について、図面を用いて説明する。図１はデジタル複合機の概略ブロック構成図であり、このデジタル複合機はＣＰＵ１、ＲＯＭ（Read Only Memory）２、ＲＡＭ（Random Access Memory）３、表示部４、操作部５、読取部６、画像メモリ７、記録部８、コーデック９、モデム１０、ネットワーク制御ユニットＮＣＵ１１、ＬＡＮインターフェース１２から構成され、各部がバス１３を介して接続されている。
【００１６】
ＣＰＵ１はバス１３を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムを予め記憶している。ＲＡＭ３はＳＲＡＭ等で構成され、プログラムの実行時に発生する一時的なデータを記憶するとともに、ユーザが適宜設定登録したワンタッチダイヤルの宛先名、宛先電話番号等のワンタッチダイヤルデータをユーザの指定したグループ毎に記憶するワンタッチダイヤルデータ記憶領域３１と、宛先指定画面で指定された宛先をリストとして記憶する指定宛先記憶領域３２とを有している。
【００１７】
表示部４はデジタル複合機の動作状態を表示したり、種々の機能の操作画面の表示を行い、操作部５はデジタル複合機を操作するための複数のキーから構成されている。この表示部４と操作部５は図２に示すようにデジタル複合機の操作パネルに設けられており、表示部４を構成する大型ＬＣＤ表示部（大型表示画面）４１には、タッチパネルスイッチが配設されている。このＬＣＤ表示部４１に、ワンタッチダイヤルボタン、グループタグ等の各種キーメニューが表示され、ＬＣＤ表示部４１の表示画面のうち、これらの各種表示キー部分を押下することで、対応するキーの選択または機能の実行を行うことができる。また、操作部５として、テンキー５１、スタートキー５２、リセットキー５３、ストップキー５４、十字キー５５、リターンキー５６、セットキー５７、ＦＡＸ切替キー５８、コピー切替キー５９、スキャナ切替キー６０等の各種キーが設けられている。
【００１８】
読取部６は、ＣＣＤ等を利用したスキャナで原稿を読み取り、白黒２値に変換したドットイメージデータを出力し、画像メモリ７は、ＤＲＡＭ等を用いて構成され、送信すべきイメージデータまたは受信したイメージデータを記憶する。記録部８は電子写真方式等のプリンタ装置を備え、受信したデータをハードコピーとしてプリントアウトする。
【００１９】
コーデック９は送信する画像情報を一定の符号化法によりデータ圧縮する一方、受信した画像データを復号して元の情報に復元するものである。モデム１０はバス１３に接続されており、ファクシミリ通信が可能なファックスモデムとしての機能を有し、このモデム１０は同様にバス１３に接続されたＮＣＵ１１と接続されている。ＮＣＵ１１はアナログ回線の閉結及び開放の動作を行うハードウェアであり、必要に応じてモデム１０を電話回線に接続する。
ＬＡＮインターフェース１２はＬＡＮ（Local Area Network）に接続され、ＬＡＮからの信号やデータを受信する一方、ＬＡＮに対して信号やデータを送信するものであり、信号変換やプロトコル変換などのインターフェース処理を実行する。
【００２０】
デジタル複合機は上記のような構成を備えており、ファクシミリ送信時には、原稿の画像データが読取部６で読み取られ、コーデック９で圧縮されて画像メモリ７に蓄積される。この圧縮された画像データがメモリ７から読み出されてモデム１０で変調され、ＮＣＵ１１から公衆電話回線を通して通信相手先に送信される。また、ファクシミリ受信時には、受信した画像データがモデム１０で復調され、画像メモリ７に蓄積された後、コーデック９で復号されて記録部８により印刷される。
【００２１】
一方、ワンタッチダイヤルの宛先名、宛先電話番号等の登録作業は、ＬＣＤ表示部４１の通常の操作画面とは異なる、「初期設定画面」と呼ばれる登録のための専用画面に移行した状態で行うことができる。すなわち、ＬＣＤ表示部４１の初期設定画面でワンタッチダイヤル登録を選択すると、ＬＣＤ表示部４１の表示がワンタッチダイヤルの宛先名、宛先電話番号、グループ名等の入力画面に切替えられ、ユーザがこの入力画面で登録内容を入力すると、入力された登録内容がグループ毎にＲＡＭ３のワンタッチダイヤルデータ記憶領域３１に登録される。
【００２２】
次に、ワンタッチダイヤルボタンを利用してワンタッチ送信を行う場合の作用について図３のフローチャートを用いて説明する。
ＬＣＤ表示部４１のメニュー画面でワンタッチダイヤル送信を選択すると、ＣＰＵ１はＬＣＤ表示部４１の表示画面に図４に示すようなワンタッチ送信の宛先指定の初期画面を表示する（ステップ１０１）。この画面には、図に示すように、グループＡに含まれる宛先を表示した複数のワンタッチボタン７０が表示されるとともに、グループタグ７１、７２、７３及び同報指示ボタン７４が表示されている。また、この表示画面の上部にはいずれかのワンタッチボタン７０が押下されたとき、その登録内容の詳細情報を表示する宛先表示欄７５が表示されている。
【００２３】
この宛先指定画面が表示されている状態で、まず、ＣＰＵ１はグループタグ７１〜７３が押下されたか否かを判別する（ステップ１０２）。グループタグ７１〜７３のいずれかが押下された場合には、ＣＰＵ１は押下されたグループタグのグループに含まれる宛先をワンタッチダイヤルデータ記憶領域３１から抽出してＬＣＤ表示部４１に表示する（ステップ１０３）。一方、グループタグが押下されない場合には、ＣＰＵ１はワンタッチボタン７０のいずれかが押下されたか否かを判別する（ステップ１０４）。ワンタッチボタン７０のいずれかが押下されたと判別した場合には、ＣＰＵ１は押下されたワンタッチボタンの宛先名、電話番号等の詳細情報をワンタッチダイヤルデータ記憶領域３１から読み出して表示部４１の上部の宛先表示欄７５に表示する（ステップ１０５）とともに、その電話番号をＲＡＭ３の指定宛先記憶領域３２の宛先リストに追加する（ステップ１０６）。
【００２４】
一方、ステップ１０４において、ワンタッチボタン７０が押下されていないと判別した場合には、ＣＰＵ１は同報ボタン７４が押下されたか否かを判別する（ステップ１０７）。同報ボタン７４が押下されていないと判別した場合には、ＣＰＵ１は操作パネルのスタートボタン５２が押下されたか否かを判別する（ステップ１０８）。スタートボタン５２が押下されていない場合には、ステップ１０２に戻り、スタートボタン５２が押下された場合には、ＣＰＵ１はＲＡＭ３の指定宛先記憶領域３２の宛先リストの最初に挙がっている宛先にファクシミリの送信を開始し（ステップ１０９）、送信が終了すると、プログラムを終了する。
【００２５】
一方、ステップ１０７において、同報ボタン７４が押下されたと判別した場合には、ＣＰＵ１は指定宛先記憶領域３２に記憶されている宛先リストを読み出し、ＬＣＤ表示部４１の表示画面に図５に示すような、同報宛先リストを表示する（ステップ１１０）。この同報宛先リストには、図に示すように、ワンタッチボタンで指定された宛先の宛先名８０と、それぞれの宛先名の右側に配置された削除ボタン８１が表示されている。この状態で、ＣＰＵ１はいずれかの削除ボタン８１が押下されたか否かを判別し（ステップ１１１）、いずれかの削除ボタン８１が押下された場合には、該当する宛先を指定宛先記憶領域３２の宛先リストから削除するとともに、その宛先が削除された同報宛先リストを表示して（ステップ１１２）、ステップ１１１に戻る。
【００２６】
また、ステップ１１１で削除ボタンが押下されていないと判別した場合には、ＣＰＵ１は操作パネルのスタートボタン５２が押下されたか否かを判別する（ステップ１１３）。スタートボタン５２が押下されていない場合には、ステップ１１１に戻り、スタートボタン５２が押下された場合には、ＣＰＵ１はＲＡＭ３の指定宛先記憶領域３２の宛先リストに挙がっている宛先に順次ファクシミリの送信を行い（ステップ１１４）、同報送信が終了すると、プログラムを終了する。
【００２７】
上記のように、タッチパネル上に表示された宛先指定画面のワンタッチボタンを押下することにより複数の宛先指定を行った後、同報ボタンを押下すれば、指定した宛先の一覧リストよりなる同報宛先確認画面が表示されるので、必要に応じて異なる宛先の同報送信宛先を簡単に作成するとともに、作成された同報送信宛先を容易に確認することができ、不要な宛先が含まれている場合には、削除ボタンによりその宛先を簡単に削除することができる。
【００２８】
また、宛先指定画面では、ワンタッチダイヤルデータをグループ毎に別シートとして切替え表示でき、各シートにグループ名を示すタグが付加されているので、同報送信する宛先が含まれるグループを簡単に表示させることができ、また、各ワンタッチボタン内に宛先情報が表示されるとともに、いずれかのワンタッチボタンを押下すると、タッチパネル表示画面のワンタッチボタンの外部領域に宛先詳細情報が表示されるので、宛先を選択する際に容易に詳細情報を確認することができる。
【００２９】
上記の実施例では、図５に示すように同報宛先リストの宛先毎に削除ボタンを設けたが、図６に示すように、削除ボタンを一個だけ設け、宛先を押下して選択した後、削除ボタンを押下することにより、選択された宛先を同報リストから削除するようにすることも可能であり、また、上記の実施例では、同報送信ボタンを宛先指定画面に設けたが、操作パネルに同報送信キーとして別途設けることも可能である。
【００３０】
また、上記の実施例では、メニュー画面でワンタッチダイヤル送信を選択した場合、ＬＣＤ表示部の表示画面に宛先指定の初期画面を表示するようにしたが、前回終了した時の宛先指定画面を最初に表示するようにすることも可能である。
また、上記の実施例では、ワンタッチダイヤル登録の宛先をグループ毎に登録したが、グループ分けせず、宛先表示画面にすべてのワンタッチダイヤル登録ボタンを表示するようにしてもよい。この場合には、スクロールボタンを表示して、このスクロールボタンにより、表示されているワンタッチ登録ボタンを順次切り替え表示できるようにすることが好ましい。
【００３１】
さらに、上記の実施例では、宛先指定画面で指定宛先の詳細情報を表示するようにしたが、同報宛先一覧リストで選択した宛先の詳細情報を表示するようにすることも可能であり、また、上記の実施例では、宛先指定画面でワンタッチダイヤルボタンにより同報宛先を指定するようにしたが、テンキーにより手動入力した電話番号を同報宛先リストに追加するようにすることも可能である。
【００３２】
また、上記の実施例では、本発明の通信端末装置を複写機能、ファクシミリ機能、プリント機能、スキャナ機能等を有するデジタル複合機に適用した例を説明したが、本発明の通信端末装置は、通常のファクシミリ装置にも適用することができる。
【図面の簡単な説明】
【００３３】
【図１】本発明の通信端末装置を実施したデジタル複合機の概略ブロック図である。
【図２】デジタル複合機の操作パネルを示す図である。
【図３】同報送信を行う場合の作用を示すフローチャートである。
【図４】宛先指定画面の表示の一例を示す図である。
【図５】同報宛先リストの表示の一例を示す図である。
【図６】同報宛先リストの表示の他の例を示す図である。
【符号の説明】
【００３４】
１  ＣＰＵ
２  ＲＯＭ
３  ＲＡＭ
３１  ワンタッチダイヤルデータ記憶領域
３２  指定宛先記憶領域
４  表示部
５  操作部
６  読取部
７  画像メモリ
８  記録部
９  コーデック
１０  モデム
１１  ＮＣＵ
１２  ＬＡＮインターフェース
１３  バス
４１  表示部
５１  テンキー
５２  スタートキー
５３  リセットキー
５４  ストップキー
５５  十字キー
５６  リターンキー
５７  セットキー
５８  ＦＡＸ切替キー
５９  コピー切替キー
６０  スキャナ切替キー
【図１】
2005101796.tif 000003
【図２】
2005101796.tif 000004
【図３】
2005101796.tif 000005
【図４】
2005101796.tif 000006
【図５】
2005101796.tif 000007
【図６】
2005101796.tif 000008